(57)【特許請求の範囲】
【請求項１】
冊子のページを折り曲げて小口に模様を描き出した作品を作成する冊子の作成方法において、
コンピュータが、
作成対象の模様が表示された画像の行方向および列方向それぞれに所定間隔でスケールを配置し、
前記スケールの列方向毎に前記模様のパーツが存在する位置を特定し、
特定した位置を冊子のページに関連づけて記憶し、
前記コンピュータが記憶した位置を、冊子のページ毎に印刷により記録する、
ことを特徴とする冊子の作成方法。
【請求項２】
前記コンピュータが冊子の小口側に設定した基準位置に基づき、記憶した位置を、冊子のページ毎に印刷により記録する請求項１に記載の冊子の作成方法。
【請求項３】
パーツが２つ以上存在する列は、パーツの数に応じて順番に印刷物のページに関連づけて記憶する請求項１に記載の冊子の作成方法。
【請求項４】
直前の列とは存在するパーツの数が異なる列の場合、直前の列のパーツを関連づけたページの次のページには、直前の列のパーツに連なるパーツとは異なるパーツの位置を関連づけて記憶する請求項１ないし３のいずれかに記載の冊子の作成方法。
【請求項５】
冊子のページを折り曲げて小口に模様を描き出した作品を作成する際に用いるコンピュータのプログラムにおいて、
前記コンピュータに、
作成対象の模様が表示された画像の行方向および列方向それぞれに所定間隔でスケールを配置し、
前記スケールの列方向毎に前記模様のパーツが存在する位置を特定し、
特定した位置を冊子のページに関連づけて記憶する、
処理を実行させることを特徴とするプログラム。
【発明の詳細な説明】
【技術分野】
【０００１】
本発明は冊子の作成方法、冊子、およびプログラムに関する。
【背景技術】
【０００２】
書籍等のページを折り込むことにより小口に立体的な文字や模様を作成する技術（Book Origami）が知られている（例えば、非特許文献１参照）。
【先行技術文献】
【非特許文献】
【０００３】
【非特許文献１】Richard Darell"Book Origami Typography: The Ultimate Inspiration"［online］、平成23年、［平成25年11月13日検索］、インターネット〈URL:http://www.bitrebels.com/design/book-origami-typography-the-ultimate-inspiration/〉
【発明の概要】
【発明が解決しようとする課題】
【０００４】
このような文字や模様が形成された作品を作るには作者の技量によるところが大きく、誰もが容易に作成することは難しいという問題がある。
１つの側面では、本発明は、小口に立体的な文字や模様を容易に作成させることを目的とする。
【課題を解決するための手段】
【０００５】
上記目的を達成するために、開示の冊子の作成方法が提供される。この方法は、冊子のページを折り曲げて小口に模様を描き出した作品を作成する冊子の作成方法であって、コンピュータが、作成対象の模様が表示された画像の行方向および列方向それぞれに所定間隔でスケールを配置し、スケールの列方向毎に模様のパーツが存在する位置を特定し、特定した位置を印刷物のページに関連づけて記憶する。
【発明の効果】
【０００６】
１態様では、小口に立体的な文字や模様を容易に作成させることができる。
【図面の簡単な説明】
【０００７】
【図１】第１の実施の形態の冊子を示す図である。
【図２】冊子のページを開いた様子を示す図である。
【図３】いくつかのページを折り込んだときの冊子を示す図である。
【図４】作品を作成する過程を説明する図である。
【図５】製作が完成した作品を説明する図である。
【図６】第１の実施の形態のコンピュータのハードウェア構成を示す図である。
【図７】第１の実施の形態のコンピュータの機能を示すブロック図である。
【図８】作成対象の画像を示す図である。
【図９】画像処理部の処理を説明する図である。
【図１０】寸法の測定を説明する図である。
【図１１】始点および終点を計測する具体例を説明する図である。
【図１２】１つの列にパーツが複数個存在する場合の処理を説明する図である。
【図１３】テーブルの具体例を示す図である。
【図１４】第２の実施の形態の冊子を示す図である。
【図１５】第２の実施の形態のコンピュータの機能を示すブロック図である。
【図１６】第２の実施の形態のテーブルを説明する図である。
【図１７】計算式を説明する図である。
【発明を実施するための形態】
【０００８】
以下、実施の形態の冊子を、図面を参照して詳細に説明する。
＜第１の実施の形態＞
【０００９】
図１は、第１の実施の形態の冊子を示す図である。
本実施の形態の冊子１は、縦２０ｃｍ、横１４．５ｃｍの書籍である。冊子１には、ページの上側（天）には、例えば印刷により基準印Ｍ１が付けられている。この基準印Ｍ１は、例えば冊子１の角１ａから６ｃｍ〜８ｃｍ程度離れた箇所に付けられている。
また、図１には図示していないが、冊子１のページの下側（地）には、例えば印刷により基準印が付けられている。この基準印は、例えば冊子１の角１ｂから６ｃｍ〜８ｃｍ程度離れた箇所に付けられている。以下、この基準印を基準印Ｍ２と言う。
【００１０】
図２は、冊子のページを開いた様子を示す図である。
図２に示すように基準印Ｍ１、Ｍ２は、それぞれページの縁から数ｍｍ程度内側にも付けられている。これにより視認性が向上する。
冊子１の小口（前小口）側には、後述するコンピュータがページ毎に決定した位置に印Ｍ３、Ｍ４が付けられている。
この印Ｍ３、Ｍ４は、後述する元図に基づき決定したものであり、例えば印刷により付けられている。
【００１１】
ユーザが作品を作成する際には、冊子１の基準印Ｍ１のページ辺と接する箇所と印Ｍ３のページ辺と接する箇所をそれぞれ頂点として冊子１のページを折り込む。また、ユーザは、基準印Ｍ２のページ辺と接する箇所と印Ｍ４のページ辺と接する箇所をそれぞれ頂点として冊子１のページを折り込む。この処理をページ毎に繰り返すことにより、冊子１の小口側から見たときに冊子１に立体的な模様が形成される。
【００１２】
図３は、いくつかのページを折り込んだときの冊子を示す図である。
このように作成者は、ページ毎に設けられた基準印Ｍ１、Ｍ２および印Ｍ３、Ｍ４を用いて次々とページを折り込んでいく。なお、図１〜図３では、印の数が２つの場合を説明した。これに限らず、元図に応じて印の数は増減する。なお、詳細については後述する。
【００１３】
図４は、作品を作成する過程を説明する図である。
折り込んで小口側から見ると、段々と作品の模様が表れる。なお、本実施の形態では、作成対象の作品が亀である場合を例示している。
図４に示す冊子１には、亀の左手部分２ａ、左足部分２ｂ、右足部分２ｃ、甲羅２ｄ、および頭部２ｅの一部が表れている。
【００１４】
図５は、製作が完成した作品を説明する図である。
図５に示す冊子１には、頭部２ｅは完全に表れ、さらに右手部分２ｆが表れている。
この冊子１によれば、冊子のページを織り込むことにより小口に立体的な模様を作成する基準印Ｍ１、Ｍ２および印Ｍ３、Ｍ４が付されている。このため、作成者の技量に依存することなく、作品を作成することができる。
以下、実施の形態において、開示の冊子１の作成方法を説明する。
【００１５】
図６は、第１の実施の形態のコンピュータのハードウェア構成を示す図である。
コンピュータ１０は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００１６】
ＲＡＭ１０２は、コンピュータ１０の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００１７】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
ハードディスクドライブ１０３は、内蔵したディスクに対して、磁気的にデータの書き込みおよび読み出しを行う。ハードディスクドライブ１０３は、コンピュータ１０の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００１８】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００１９】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００２０】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００２１】
通信インタフェース１０７は、ネットワーク５０に接続されている。通信インタフェース１０７は、ネットワーク５０を介して、他のコンピュータまたは通信機器との間でデータを送受信する。
以上のようなハードウェア構成によって、本実施の形態の処理機能を実現することができる。
図６に示すようなハードウェア構成のコンピュータ１０内には、以下のような機能が設けられる。
【００２２】
図７は、第１の実施の形態のコンピュータの機能を示すブロック図である。
コンピュータ１０は、記憶部１１と画像処理部１２とを備えている。
記憶部１１は、画像記憶部１１ａとテーブル１１ｂとを備えている。
画像記憶部１１ａには、冊子のページを織り込むことにより立体的に作成する作成対象の作品の画像ファイルが記憶される。
テーブル１１ｂには、冊子のページ毎に、印Ｍ３、Ｍ４の位置が記憶される。
画像処理部１２は、画像記憶部１１ａに記憶されている画像を読み出し、冊子につける印の位置を決定する処理を実行する。
【００２３】
図８は、作成対象の画像を示す図である。
図８に示す画像５１は、作成対象の作品を模る画像（元図）である。この画像５１は、画像処理部１２が記憶部１１から読み出してモニタ１０４ａに表示した画像であり、一例として亀の模様が描かれた画像である。画像５１は、例えばコンピュータ１０が備える画像作成用プログラムによって作成された画像でもよいし、他のコンピュータにて作成された画像でもよい。
画像５１のサイズ（縦横）は、冊子のページのサイズより小さくする。
【００２４】
画像処理部１２は、行方向および列方向それぞれ１ｍｍ毎に設定されたスケールを画像５１に重ねて表示する。このとき画像処理部１２は、行方向にパーツ（連続して黒く塗りつぶされた部分）の塊がいくつ存在するかを列毎に抽出する。そして、画像処理部１２は、１つの列に存在するパーツの塊の数に応じて異なる色をつけモニタ１０４ａに表示する。
【００２５】
図９は、画像処理部の処理を説明する図である。
例えば、行方向にパーツの塊が１つ存在する列は緑色に着色されている。図９では、緑色に着色されている列をｃ１と表記する。行方向にパーツの塊が２つ存在する列は赤色に着色されている。図９では、赤色に着色されている列をｃ２と表記する。行方向にパーツの塊が３つ存在する列は青色に着色されている。図９では、青色に着色されている列をｃ３と表記する。これにより、１つの列にパーツの塊がいくつ存在するかを視覚的に把握することができる。なお、本実施の形態では、図９に示す画面をモニタ１０４ａに表示する例を説明した。しかし、これに限らず図９に示す画面をモニタ１０４ａに表示しなくてもよい。
次に画像処理部１２は、設定したスケールに基づき画像５１の寸法を計測する。
【００２６】
図１０は、寸法の測定を説明する図である。
図１０に示す画像５２は寸法の測定を説明する画像である。
スケールに囲まれた格子２１の横に付された数値の単位はｍｍである。すなわち、図１０に示す格子２１は行方向１ｍｍ、列方向１ｍｍである。
画像処理部１２は、設定したスケールに基づき、列毎にパーツが存在する領域とパーツが存在しない領域が混在する行を特定する。そして、画像処理部１２は、特定した行において、パーツが占める位置に応じてパーツの始点および終点を決定する。
【００２７】
例えば、図１０（ａ）に示すようにスケールに囲まれた格子２１が備える４辺のうち、２辺の全てに画像５２のパーツが位置している場合には、画像処理部１２は１列目の行方向の始点は１．０ｍｍであると判断する。
【００２８】
図１０（ｂ）に示すように格子２１が備える４辺のうち、いずれかの２辺に画像５２のパーツが位置しており、位置しているパーツの辺上の長さが辺の長さの半分に満たない場合には画像処理部１２は１列目の行方向の始点は１．５ｍｍであると判断する。
【００２９】
図１０（ｃ）に示すように格子２１が備える４辺のうち、いずれかの２辺に画像５２のパーツが位置しており、位置しているパーツの辺上の長さが辺の長さの半分以上である場合には画像処理部１２は１列目の行方向の始点は１．２ｍｍであると判断する。
【００３０】
図１０（ｄ）に示すように格子２１が備える４辺のうち、いずれかの２辺に画像５２のパーツが位置しており、格子２２が備える４辺のうち、位置しているパーツの辺上の長さが辺の長さの半分に満たない場合には、１列目の行方向の始点は１．７ｍｍであると判断する。
【００３１】
なお、本実施の形態では、接する辺との関係において、始点位置を決定したが、これに限らず、例えば、格子に占めるパーツの面積で決定することも可能である。具体的には格子２１においてパーツの占める面積が大きい程、列の始点の数値を小さくする。図１０（ａ）に示すように格子２１において画像５２のパーツの占める割合が１００％未満であり、格子２２における画像５２のパーツの占める割合が１００％である場合には、画像処理部１２は、格子２１における画像５２のパーツが占める割合に応じて１列目の行方向の始点を決定する。図１０（ａ）では、格子２１における画像５２のパーツの占める割合が５０％であるため、画像処理部１２は、１列目の行方向の始点を０．５ｍｍに決定する。
【００３２】
格子２２における画像５２のパーツの占める割合が１００％である場合、格子２１における画像５２のパーツの占める割合が大きく（小さく）なればなるほど、画像処理部１２は、１列目の行方向の始点を小さく（大きく）決定する。
【００３３】
また、図１０（ｂ）、（ｃ）、（ｄ）に示すように格子２２における画像５２のパーツの占める割合が１００％未満であれば、画像処理部１２は格子２２（行方向に１つ下の格子）における画像５２のパーツの占める割合を参照する。そして、格子２２における画像５２のパーツの占める割合が大きくなればなるほど、画像処理部１２は、１列目の行方向の始点を小さく決定する。
【００３４】
例えば図１０（ｃ）では、格子２２における画像５２のパーツの占める割合が９０％であるため、画像処理部１２は、１列目の行方向の始点は、１．１ｍｍに決定する。図１０（ｄ）では、格子２２における画像５２のパーツの占める割合が７０％であるため、画像処理部１２は、１列目の行方向の始点は、１．３ｍｍに決定する。
図１１は、始点および終点を計測する具体例を説明する図である。
【００３５】
図１１において斜線部は作成対象の作品を模る画像５１が配置されている箇所である。画像５１の１列目のパーツが存在する始点位置は、９８．５ｍｍ、終点位置は１００．５ｍｍになる。
次に、１つの列にパーツが複数個存在する場合の画像処理部１２の処理を説明する。
図１２は、１つの列にパーツが複数個存在する場合の処理を説明する図である。
【００３６】
図１２（ａ）は、画像処理部１２の処理を説明する図を示している。図１２（ａ）の斜線部で示す画像５３は、７列目から１１列目までは１つの列に１つのパーツが存在している。１２列から２１列までは１つの列に２つのパーツが存在している。２２列から２９列までは１つの列に３つのパーツが存在している。
【００３７】
１列目から６列目には、各列にパーツが存在していない。７列目から１１列目には各列の基準位置Ｐ０から８ｍｍ〜１２ｍｍの間に１つのパーツが存在している。このため、画像処理部１２は、冊子の７ページ目から１１ページ目の基準位置Ｐ０から８ｍｍ離れた箇所に印Ｍ３を付け、基準位置Ｐ０から１２ｍｍ離れた箇所に印Ｍ４を付けることをテーブル１１ｂに記憶する。
【００３８】
ここで、１３列目から２１列目には各列の基準位置Ｐ０から８ｍｍ〜１２ｍｍの間に１つのパーツが存在し、１６ｍｍ〜２０ｍｍの間に１つのパーツが存在している。このため、これら２つのパーツの始点位置および終点位置は、それぞれ８ｍｍ、１２ｍｍ、および１６ｍｍ、２０ｍｍとなる。仮に１つのページにこれらの印をつけたとしても、実際に折り込むことができるのはいずれか一方である。
【００３９】
このため、画像処理部１２は、それぞれのパーツの印を、ページを１ページおきに飛ばして付ける。例えば、画像処理部１２は、冊子の１２ページには基準位置Ｐ０から１６ｍｍ離れた箇所に印Ｍ３を付け、基準位置Ｐ０から２０ｍｍ離れた箇所に印Ｍ４を付けることをテーブル１１ｂに記憶する。また、画像処理部１２は、冊子の１３ページ目には基準位置Ｐ０から８ｍｍ離れた箇所に印Ｍ３を付け、基準位置Ｐ０から１２ｍｍ離れた箇所に印Ｍ４を付けることをテーブル１１ｂに記憶する。また、画像処理部１２は、１４ページ目には基準位置Ｐ０から１６ｍｍ離れた箇所に印Ｍ３を付け、基準位置Ｐ０から２０ｍｍ離れた箇所に印Ｍ４を付けることをテーブル１１ｂに記憶する。このようにして、画像処理部１２は、１３列目から２１列目までのパーツの配置パターンをテーブル１１ｂに記憶する。
さらに、２２列から２９列までは１つの列に３つのパーツが存在している。それぞれの
始点位置および終点位置は、それぞれ１ｍｍ、５ｍｍ、８ｍｍ、１２ｍｍ、および１６ｍｍ、２０ｍｍとなる。
【００４０】
この場合、画像処理部１２は、それぞれパーツの印を、ページを２ページおきに飛ばして付ける。また、２１列目のパーツの印が冊子の３０ページに付けられている。このため、画像処理部１２は、２１列目の印の位置を考慮して、２２列目のパーツの印の位置が、２１列目のパーツの印の位置に重ならないように、かつ、隣接するパーツの印が付けられるように、２２列目の印を３１ページ目に付ける。これにより作品がより美しく仕上がる。
【００４１】
具体的には、画像処理部１２は、冊子の３１ページには基準位置Ｐ０から８ｍｍ離れた箇所に印Ｍ３を付け、基準位置Ｐ０から１２ｍｍ離れた箇所に印Ｍ４を付けることをテーブル１１ｂに記憶する。また、画像処理部１２は、冊子の３２ページ目には基準位置Ｐ０から１ｍｍ離れた箇所に印Ｍ３を付け、基準位置Ｐ０から５ｍｍ離れた箇所に印Ｍ４を付けることをテーブル１１ｂに記憶する。また、画像処理部１２は、３３ページ目には基準位置Ｐ０から１６ｍｍ離れた箇所に印Ｍ３を付け、基準位置Ｐ０から２０ｍｍ離れた箇所に印Ｍ４を付けることをテーブル１１ｂに記憶する。このように、画像処理部１２は、直前の列のパーツを関連づけたページの次のページには、直前の列のパーツに連なるパーツとは異なるパーツの位置を関連づけて記憶する。
【００４２】
図１２（ｂ）は、画像処理部１２の処理結果に基づき決定された冊子への印を付ける位置を示している。図１２（ｂ）の数字は冊子のページ数を表している。点線は、基準位置を示している。斜線で囲まれた部位の上端部および下端部がそれぞれ印Ｍ３、Ｍ４を付ける位置になる。
図１３は、テーブルの具体例を示す図である。
テーブル１１ｂには、列番号、上行、下行、ページの欄が設けられている。横方向に並べられた数値が互いに関連づけられている。
列番号の欄には、スケールの列の番号が設定されている。
上行の欄には、印Ｍ３を付ける位置（基準位置からの相対位置）が設定される。単位は（ｍｍ）である。
下行の欄には、印Ｍ４を付ける位置（基準位置からの相対位置）が設定される。単位は（ｍｍ）である。
ページの欄には、冊子のページ数が設定される。
【００４３】
このテーブル１１ｂに記載された情報に基づき、例えば印刷機等で冊子に印を付けていくことにより、折り込むことで小口に立体的な文字や模様を作成できる印が付された冊子１を作成することができる。
【００４４】
以上述べたように、コンピュータ１０によれば、折り込むことで小口に立体的な文字や模様を作成できる印が付された冊子を作るためのテーブル１１ｂを容易に作成することができる。
【００４５】
＜第２の実施の形態＞
次に、第２の実施の形態の冊子および冊子の作成方法について説明する。
以下、第２の実施の形態の冊子および冊子の作成方法について、前述した第１の実施の形態との相違点を中心に説明し、同様の事項については、その説明を省略する。
【００４６】
図１４は、第２の実施の形態の冊子を示す図である。
図１４に示す第２の実施の形態の冊子３は、折り込み位置を示す目印の付け方が冊子１と異なっている。冊子３には、折り込み位置を示すポイントＰ１、Ｐ２が設けられている。
【００４７】
このポイントＰ１は、第１の実施の形態の冊子１に設けられた基準印Ｍ１のページ辺と接する箇所と印Ｍ３のページ辺と接する箇所をそれぞれ頂点として冊子１のページを折り込んだときにページの頂点が位置する箇所と同じ箇所に設けられている。
【００４８】
また、ポイントＰ２は、冊子１に設けられた基準印Ｍ２のページ辺と接する箇所と印Ｍ４のページ辺と接する箇所をそれぞれ頂点として冊子１のページを折り込んだときにページの頂点が位置する箇所と同じ箇所に設けられている。なお、ポイントＰ１、Ｐ２の設置方法については後述する。
【００４９】
ユーザが作品を作成する際には、冊子３の各ページの頂点３ａをポイントＰ１に一致するように折り込み、頂点３ｂをポイントＰ２に一致するように折り込む。これにより、冊子１と同じように、小口に立体的な模様を作成することができる。
次に、第２の実施の形態の冊子３の作成方法を説明する。
図１５は、第２の実施の形態のコンピュータの機能を示すブロック図である。
コンピュータ１０ａは、記憶部１１と画像処理部１２ａとを備えている。
記憶部１１は、画像記憶部１１ａとテーブル１１ｃとを備えている。
図１６は、第２の実施の形態のテーブルを説明する図である。
テーブル１１ｃには、テーブル１１ｂの各欄に加え、さらにポイントＡ、およびポイントＢの欄が設けられている。
【００５０】
ポイントＡの欄には、上行に設定されている数値（ｍｍ）と、頂点３ａから基準印Ｍ１までの距離（ｍｍ）を用いて以下の計算式により算出された座標が設定される。このポイントＡの欄に設けられた座標が、ポイントＰ１の座標となる。
【００５１】
ポイントＢの欄には、下行に設定されている数値（ｍｍ）と、頂点３ｂから基準印Ｍ２までの距離（ｍｍ）を用いて以下の計算式により算出された座標が設定される。このポイントＢの欄に設けられた座標が、ポイントＰ２の座標となる。なお、基準印Ｍ１、Ｍ２は、冊子３には印刷されない。
【００５２】
図１７は、計算式を説明する図である。
上行に設定されている基準位置Ｐ１から基準印Ｍ１までの数値（ｍｍ）をｙ１、頂点３ａから基準位置Ｐ０までの距離（ｍｍ）をｙ２とすると、ａ＝ｙ１＋ｙ２にて求めることができる。
また、頂点３ａから基準印Ｍ１までの距離をｘとすると、θは、式（１）
θ＝２ａｒｃｔａｎ（ｘ／ａ）・・・（１）
にて求めることができる。
また、頂点３ｃを基準（０，０）としたときのポイントＰ１の座標（ｕ，ｖ）は、式（２）、（３）
ｕ＝ａ・ｃｏｓ（２ａｒｃｔａｎ（ｘ／ａ））＝ａ・ｃｏｓθ・・・（２）
ｖ＝ａ・ｓｉｎ（２ａｒｃｔａｎ（ｘ／ａ））＝ａ・ｓｉｎθ・・・（３）
で求めることができる。
ところで、座標ｕは、頂点３ｃを基準とした位置であるから、頂点３ａを基準にしたときのポイントＰ１のｘ座標ｕ１は、式（４）
ｕ１＝ｕ−ａ・・・（４）
で求めることができる。
【００５３】
なお、本実施の形態ではポイントＰ１の座標の計算方法を説明したが、ポイントＰ２の座標も下行に設定されている数値（ｍｍ）と、頂点３ｂから基準印Ｍ２までの距離を用いることにより、ポイントＰ１と同様の方法で求めることができる。
【００５４】
第２の実施の形態の画像処理部１２ａは、前述した計算式（１）〜（４）を用いてテーブル１１ｃのポイントＡの欄、およびポイントＢの欄にそれぞれ座標を設定する。
【００５５】
このテーブル１１ｃに記載された情報に基づき、例えば印刷機等で冊子にポイントＰ１、Ｐ２を付けていくことにより、折り込むことで小口に立体的な文字や模様を作成できる印が付された冊子３を作成することができる。
第２の実施の形態の冊子３によれば、第１の実施の形態の冊子と同様の効果が得られる。
【００５６】
そして、第２の実施の形態の冊子によれば、さらに、頂点から点に向かってページを折り込んでいけばよいので、第１の実施の形態の冊子に比べ、作品をより簡単に作成することができる。
【００５７】
以上、本発明の冊子の作成方法、冊子、およびプログラムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【００５８】
なお、上記の処理機能は、コンピュータによって実現することができる。その場合、コンピュータ１０が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００５９】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００６０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００６１】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００６２】
１、３  冊子
２ａ  左手部分
２ｂ  左足部分
２ｃ  右足部分
２ｄ  甲羅
２ｅ  頭部
２ｆ  右手部分
３ａ、３ｂ、３ｃ  頂点
１０  コンピュータ
１１  記憶部
１１ａ  画像記憶部
１１ｂ、１１ｃ  テーブル
１２、１２ａ  画像処理部
５１、５２、５３  画像
Ｍ１、Ｍ２  基準印
Ｍ３、Ｍ４  印
Ｐ０  基準位置
Ｐ１  ポイント
【図１】
0005846704.tif 000002
【図２】
0005846704.tif 000003
【図３】
0005846704.tif 000004
【図４】
0005846704.tif 000005
【図５】
0005846704.tif 000006
【図６】
0005846704.tif 000007
【図７】
0005846704.tif 000008
【図８】
0005846704.tif 000009
【図９】
0005846704.tif 000010
【図１０】
0005846704.tif 000011
【図１１】
0005846704.tif 000012
【図１２】
0005846704.tif 000013
【図１３】
0005846704.tif 000014
【図１４】
0005846704.tif 000015
【図１５】
0005846704.tif 000016
【図１６】
0005846704.tif 000017
【図１７】
0005846704.tif 000018